(57)【要約】【課題】柱の上端部を切除する加工が不要であり且つ柱の内部に雨水が浸入するのを防止できる簡易建物を提供する。【解決手段】簡易建物１において、カバー９はカバー本体１３と補助材１５からなり、カバー本体１３は、連結具７の柱挿入部７ａを挿通する下開口部１７と、連結具７を上から挿入する上開口部１９と、梁５を挿入する横開口部２３を有し、上開口部１９と横開口部２３とは連続した開口としてあり、下開口部１７には柱３に取り付ける柱取付部２１が設けてあり、連結具７を挿入したカバー本体１３と共に、柱挿入部７ａを柱３に挿入し、梁挿入部７ｂを梁５に挿入して連結具７を柱３と梁５に固定してあり、補助材１５は継ぎ目の無い部材であり、カバー本体１３の上開口部１９を覆ってカバー本体１３又は連結具７に固定してある。【選択図】図１
2014194146.tif 000002
【特許請求の範囲】
【請求項１】
柱と、梁と、柱と梁を連結する連結具と、カバーとを備え、連結具は柱に挿入する柱挿入部と、梁に挿入する梁挿入部と、柱挿入部と梁挿入部との間に位置するコーナー部とを有し、カバーは、カバー本体と補助材からなり、カバー本体は、柱上端に取付けてあり、連結具の柱挿入部を挿通する下開口部と、連結具の柱挿入部を下に向けて連結具を上から挿入する上開口部と、連結具の梁挿入部及び梁を挿入する横開口部とを有し、上開口部と横開口部は連続した開口としてあり、連結具を挿入したカバー本体と共に、連結具の柱挿入部を柱に挿入した状態で連結具の梁挿入部を梁に挿入して梁の柱側端部が柱上端よりも上に位置した状態で連結具を柱と梁に固定してあり、補助材は上面に継ぎ目の無い部材であり、カバー本体の上開口部を覆ってカバー本体又は連結具に固定してあることを特徴とする簡易建物。
【請求項２】
柱と、梁と、柱と梁を連結する連結具と、カバーとを備え、連結具は柱に挿入する柱挿入部と、梁に挿入する梁挿入部と、柱挿入部と梁挿入部との間に位置するコーナー部とを有し、カバーは、連結具の梁挿入部を挿入した梁の端部の上面及び連結具のコーナー部の上面を継ぎ目無く一面で覆うものであり且つカバー本体と補助材とからなり、カバー本体は、連結具の柱挿入部を柱に挿入する前の連結具に取り付けて柱上端に取付けてあり、補助材は連結具の柱挿入部を柱に挿入し且つ梁挿入部を梁に挿入した後にカバー本体又は連結具に固定してあることを特徴とする簡易建物。
【発明の詳細な説明】
【技術分野】
【０００１】
本発明は、カーポートやテラス等の簡易建物に関する。
【背景技術】
【０００２】
特許文献１には、連結具の柱挿入部を柱に挿入し、梁挿入部を梁に挿入して、連結具の柱挿入部と梁挿入部との間に位置するコーナー部及び梁の端部を左右両側から半割にしたカバー部材で挟んで左右のカバー部材をねじ固定した簡易建物が開示されている。
特許文献２には、柱の上端部の側面に切除部を形成して、連結具の柱挿入部を柱に挿入すると共に柱の切除部に連結具のコーナー部を落とし込み、連結具の梁挿入部を柱の切除部から突設させて梁に挿入し、柱の上端に補助材を被せた簡易建物が開示されている。
【先行技術文献】
【特許文献】
【０００３】
【特許文献１】特開２００３−２１３７９２号公報
【特許文献２】特開２００３−２６８９９８号公報
【発明の概要】
【発明が解決しようとする課題】
【０００４】
しかし、特許文献１の簡易建物では、半割にしたカバー部材を左右から付き合せて固定しているので、突合せ部分（繋ぎ目）から雨水が柱内に浸入するという不都合があった。雨水が柱内部に浸入すると柱が腐食する原因になったり、甚だしい場合には柱の内部に水が溜まるという問題がある。尚、突合せ部から水の浸入を防ぐために突き合わせ部分にシーリングを施す方法もあるが、コストがかかるとう問題がある。
一方、特許文献２では、柱の上端部を切除している為に、柱の加工にコストがかかるという問題がある。
【０００５】
そこで、本発明は、柱の上端部を切除する加工が不要であり且つ柱の内部に雨水が浸入するのを防止できる簡易建物の提供を目的とする。
【課題を解決するための手段】
【０００６】
請求項１に記載の発明は、柱と、梁と、柱と梁を連結する連結具と、カバーとを備え、連結具は柱に挿入する柱挿入部と、梁に挿入する梁挿入部と、柱挿入部と梁挿入部との間に位置するコーナー部とを有し、カバーは、カバー本体と補助材からなり、カバー本体は、柱上端に取付けてあり、連結具の柱挿入部を挿通する下開口部と、連結具の柱挿入部を下に向けて連結具を上から挿入する上開口部と、連結具の梁挿入部及び梁を挿入する横開口部とを有し、上開口部と横開口部は連続した開口としてあり、連結具を挿入したカバー本体と共に、連結具の柱挿入部を柱に挿入した状態で連結具の梁挿入部を梁に挿入して梁の柱側端部が柱上端よりも上に位置した状態で連結具を柱と梁に固定してあり、補助材は上面に継ぎ目の無い部材であり、カバー本体の上開口部を覆ってカバー本体又は連結具に固定してあることを特徴とする簡易建物である。
【０００７】
請求項２に記載の発明は、柱と、梁と、柱と梁を連結する連結具と、カバーとを備え、連結具は柱に挿入する柱挿入部と、梁に挿入する梁挿入部と、柱挿入部と梁挿入部の間に位置するコーナー部とを有し、カバーは、連結具の梁挿入部を挿入した梁の端部の上面及び連結具のコーナー部の上面を継ぎ目無く一面で覆うものであり且つカバー本体と補助材とからなり、カバー本体は、連結具の柱挿入部を柱に挿入する前の連結具に取り付けて柱上端に取付けてあり、補助材は連結具の柱挿入部を柱に挿入し且つ梁挿入部を梁に挿入した後にカバー本体又は連結具に固定してあることを特徴とする簡易建物である。
【発明の効果】
【０００８】
請求項１に記載の発明によれば、カバー本体は、連結具を上から挿入する上開口部を有するが、上面に継ぎ目の無い補助材で覆っているので、柱内部への雨水の浸入を防止できる。
柱の上端に取付けたカバー本体に連結具の柱挿入部を挿通するものなので、柱の上端部に連結具の梁挿入部を挿通するための切除加工が不要である。
カバーは、カバー本体に連結具を取付けたうえで連結具とともに柱に取付け、その後補助材を取付ける構成なので、カバーを取付けるための高所作業は補助材の取付けのみとなるので、高所作業が減り、作業性が改善される。
連結具を挿入したカバー本体と共に連結具の柱挿入部を柱に挿入し、カバー本体の上開口部を覆う補助材をカバー本体又は連結具に固定する構成であるから、高所でカバーを取り付ける時間が短縮でき、施工性が良い。
【０００９】
請求項２に記載の発明によれば、カバーは、連結具のコーナー部の上面を継ぎ目無く一面で覆うので、連結具の上から雨水が柱内に浸入するのを防止できる。
柱の上端に連結具の柱挿入部を挿通し、連結具のコーナー部は柱の上端に配置するものなので、柱の上端部に連結具の梁挿入部を挿通するための切除加工が不要である。
カバー本体は、連結具の柱挿入部を柱に挿入する前の連結具に取付け、連結具を柱や梁に取付けた後に補助材を取付けているので、カバーを取付けるための高所作業は補助材の取付けのみとなるので、高所作業が減り、作業性が改善される。
【図面の簡単な説明】
【００１０】
【図１】本発明の第１実施の形態にかかる簡易建物の図であって、柱と梁の連結部分を示す縦断面図である。
【図２】図１に示すカバーの図であり、（ａ）は正面図、（ｂ）は平面図である。
【図３】図１に示すカバー本体の図であり、（ａ）は正面図、（ｂ）は平面図、（ｃ）は（ａ）に示すＡ−Ａ断面図である。
【図４】図１に示す補助材の図であり、（ａ）は正面図、（ｂ）は底面図である。
【図５】（ａ）は柱と梁の連結部分の分解斜視図、（ｂ）はカバー本体に補助材を取り付ける前の状態を示す斜視図である。
【図６】補助材の上に樋を取り付ける状態を示す斜視である。
【図７】（ａ）は隣り合う野縁の連結部分を示す側面図であり、（ｂ）は（ａ）に示すＢ−Ｂ断面図でありパネル押えを除いて示す図、（ｃ）は隣り合う前枠の連結部分を示す側面図であり、（ｄ）は（ｃ）に示すＣ−Ｃ断面図でありパネル押えを除いて示す図、（ｅ）は隣り合う樋の連結部分を示す側面図であり、（ｆ）は（ｅ）に示すＤ−Ｄ断面図でありパネル押えを除いて示す図である。
【図８】図７に示す野縁連結キャップの図であり、（ａ）は正面図、（ｂ）は平面図、（ｃ）は側面図である。
【図９】図７に示す前枠連結キャップの図であり、（ａ）は正面図、（ｂ）は平面図である。
【図１０】図７に示す野縁連結キャップの図であり、（ａ）は正面図、（ｂ）は平面図である。
【図１１】図７に示す野縁連結部分の施工を説明する斜視図である。
【図１２】図７に示す前枠連結部分の施工を説明する斜視図である。
【図１３】図７に示す樋連結部分の施工を説明する斜視図である。
【図１４】第１実施の形態に係る簡易建物の正面図である。
【図１５】第１実施の形態に係る簡易建物の側面図である。
【図１６】本発明の第２実施の形態に係る簡易建物に用いられるカバーの図であり、（ａ）は正面図、（ｂ）は平面図である。
【図１７】図１６に示すカバー本体の図であり、（ａ）は正面図、（ｂ）は平面図である。
【図１８】図１６に示す補助材の図であり、（ａ）は正面図、（ｂ）は平面図である。
【図１９】本発明の第３実施の形態に係る簡易建物に用いられるカバーの図であり、（ａ）は正面図、（ｂ）は（ａ）の右側面図である。
【図２０】図１９に示すカバー本体の図であり、（ａ）は正面図、（ｂ）は（ａ）の右側面図である。
【図２１】図１９に示す補助材の図であり、（ａ）は正面図、（ｂ）は（ａ）の右側面図である。
【発明を実施するための形態】
【００１１】
以下に、添付図面を参照して本発明の実施の形態を説明する。図１４及び図１５に示すように、本実施の形態に係る簡易建物１は、カーポートであり、柱３と、梁５と、柱３と梁５を連結する連結具７（図１参照）と、カバー９（図１参照）と、梁５の上に設けた屋根体１１とを備えている。
図１及び図５に示すように、柱３には中空３ａが形成してあり、梁５にも中空５ａが形成してある。梁５の柱側端部は柱５の上端よりも上に位置している。
連結具７は、柱３に上から挿入する柱挿入部７ａと梁５に横から挿入する梁挿入部７ｂと、柱挿入部７ａと梁挿入部７ｂの間に位置するコーナー部７ｃを備え、コーナー部７ｃは略Ｌ字形状を成している。連結具７のコーナー部７ｃは柱５の上端に配置している。図５に示すように、連結具７の上面には後述するカバー９の補助材１５を固定する為のねじ孔８と後述する樋３７を固定するねじ孔１０が形成されている。
【００１２】
図１及び図５に示すように、カバー９は、連結具７のコーナー部７ｃの上面及び梁５の端部の上面を継ぎ目無く一面で覆うものであり、カバー本体１３と補助材１５とから構成されている。
カバー本体１３は、図１及び図３に示すように、連結具７の柱挿入部７ａを挿通する下開口部１７と、連結具７を上から挿入する上開口部１９と、梁５を挿入する横開口部２３とを有している。下開口部１７は柱３の上端に被せてあり且つ下開口部１７には柱３に取り付ける柱取付部２１が設けてある。柱取付部２１は、図３（ａ）（ｂ）に示すように、下開口部１７の内周側に突設した突部であり、柱３の上端に当接することによりカバー本体１３を柱３に取り付けてある。
上開口部１９はカバー本体１９の上部全体を開口して設けてあり且つ横開口部２３と連続した開口になっている。尚、図３（ｂ）に示すように、上開口部１９には補助材１５に圧接する突起２２が設けてある。
横開口部２３では左右の側壁２３ａ、２３ｂの巾Ｗ１は上方ほど間隔を狭めている。また、左右の側壁２３ａ、２３ｂには、梁５の対向面に当接する突条の梁当接部２５が設けてあり、横開口部２３に梁５を挿入したときに梁５の側面が梁当接部２５に当接して左右の側壁を押し広げるようにしてある。
図４に示すように、補助材１５は、底面に外周壁１５ａと内周壁１５ｂとを有し、外周壁１５ａと内周壁１５ｂとの間にカバー本体１３の上端部を嵌め入れてある。内周壁１５ｂには外周側に突設する突起２７が形成してカバー本体１３の外面に圧接している。
補助材１５の上面には連結金具７の上面にとめるねじ３２を挿通するねじ挿通孔２９と、樋３７を連結具７に固定するねじ３４を挿通するねじ挿通孔３１が形成されている。
【００１３】
屋根体１１は、図１５に示すように、単独でカーポートとして使用可能な２つの屋根１１ａ、１１ｂを左右に連結して用いている。
図７に示すように、各屋根１１ａ、１１ｂは、野縁３３と、前枠３５と、樋３７と、屋根パネル３９と、屋根パネル３９を上から押えるパネル押え４１とを備えており、図７（ａ）、図８及び図１１に示すように、左右の野縁３３、３３は野縁連結具４９で連結して突合せ部を野縁キャップ４３で覆っている。図７（ｃ）、図９及び図１２に示すように、左右の前枠３５、３５は前枠連結具５１で連結して突き合わせ部を前枠キャップ４５で覆っている。尚、突合せ部は充填器４６でシール材を充填している。図７（ｅ）、図１０及び図１３に示すように、左右の樋３７、３７は樋連結具５３で連結して突合せ部を充填器４６でシール材を充填すると共に樋キャップ４７で覆っている。
図８に示すように、野縁キャップ４３は、左右の野縁３３、３３の端部を一緒に覆う形状としてあり、内周に係止突起４３ａが形成されている。
図９に示すように、前枠キャップ４５は、左右の前枠３５、３５の端部を一緒に覆う形状としてあり、内周に係止突起４５ａが形成されている。
図１０に示すように、樋キャップ４７は、左右の樋３７、３７の端部を一緒に覆う形状としてあり、内周に係止突起４７ａが形成されている。
【００１４】
次に、本実施の形態にかかる簡易建物１の施工について説明する。
図５（ａ）及び図１に示すように、連結金具７のコーナー部７ｃにカバー本体１３を取り付けるが、カバー本体１３の取り付けは、連結具７の柱挿入部７ａをカバー本体１３の上開口部１９から挿入し、下開口部１７に挿通すると共にコーナー部７ｃ及び梁挿入部７ｂを上開口部１９と横開口部２３に上から挿入して、カバー本体１３を連結具７に取り付ける。
次に、カバー本体１３を連結具７に取り付けた状態で、連結金具７の柱挿入部７ａを柱３の上端から柱３の中空部３ｃに挿入すると共にカバー本体１３の下開口部１７を柱３の上端に被せる。図１及び図３（ａ）（ｂ）に示すように、柱３の上端は、カバー本体１３の柱取付部２１に当接してカバー本体１３が柱３の上端に取付けられるので、その位置で、連結具７の柱挿入部７ａを柱３にボルト５５で固定する。
その後、連結具７の梁挿入部７ｂを梁５の中空部５ｃに挿入し、梁５の端をカバー本体１３の横開口部２３内に挿入する。横開口部２３は対向する側壁２３ａ、２３ｂの巾Ｗ１が上側程狭くしてあるので、梁５は側壁２３ａ、２３ｂの上側を弾性変形により押し広げるようにして挿入し、挿入後は側壁２３ａ、２３ｂが塑性変形して対向する巾Ｗ１を狭め、梁当接部２５が梁５の側壁に圧接する。その後、梁挿入部７ｂと梁５に予め設けておいたボルト孔が一致する位置で上及び下から止めるボルト５７で、梁５と連結具７の梁挿入部７ｂを固定する。尚、梁５の先端には梁キャップ５８を取り付ける。
次に、図５（ｂ）に示すように、カバー本体１３の上開口部１９に補助材１５を上から被せるが、補助材１５の取り付けは、カバー本体１３の上端部を補助材１５の底面に設けた外周壁１５ａと内周壁１５ｂとの間に挿入する。このとき、内周壁１５ｂに設けた突起２７がカバー本体１３の上端に圧接してカバー本体１３に補助材１５が保持される。
次に、補助材１５のねじ挿入孔２９に、シール材を充填してねじ５７で連結具７のコーナー部上面のねじ孔８にねじ止めする。
【００１５】
次に、梁５の上には屋根体１１を施工するが、屋根体１１は梁５の上に野縁３３、前枠３５、樋３７を架設する。
図１１に示すように、野縁３３は架設する前に、左右の野縁３３ａ、３３ｂに連結具４９を挿入して繋ぎ、図７（ａ）に示すように、繋ぎ目を野縁キャップ４３で覆う。
図１２に示すように、前枠３５は架設する前に、左右の前枠３５ａ、３５ｂに連結具５１を挿入して繋ぎ、図７（ｂ）に示すように、繋ぎ目を前枠キャップ４５で覆う。
図１３に示すように、樋３７は架設する前に、左右の樋３７ａ、３７ｂに連結具５３を挿入して繋ぎ、図７（ｃ）に示すように、繋ぎ目を樋キャップ４７で覆う。
樋３７は、図６に示すように、補助材１５の上に載せると共にＬ字状の金具５９の一方を樋３７にねじ６１で固定し、他方を補助材１５のねじ挿通孔３１を挿通するねじ３４で連結具７に固定する。
【００１６】
本実施の形態にかかる簡易建物１によれば、図１及び図５（ｂ）に示すように、カバー本体１３は、連結具７を上から挿入する上開口部１９を有するが、上開口部１９は１部品の補助材１５で覆ってあり、継ぎ目がないから、柱３の内部へ雨水が浸入するのを防止できる。
柱３の上端に取付けたカバー本体１３に連結具７の柱挿入部７ａを挿通するものなので、柱３の上端部に連結具７の梁挿入部７ｂを挿通するための切除加工が不要である。
カバー９は、カバー本体１３に連結具７を取付けたうえで連結具７とともに柱３に取付け、その後補助材１５を取付ける構成なので、カバー９を連結具７に取付けるための高所作業は補助材１５の取付けのみとなるので、高所作業が減り、作業性が改善される。
連結具７を挿入したカバー本体１３と共に連結具７の柱挿入部７ａを柱３に挿入し、カバー本体の上開口部１９を覆う補助材１５をカバー本体１３又は連結具７に固定する構成であるから、高所でカバー９を取り付ける時間が短縮でき、施工性が良い。
【００１７】
カバー本体１３の下開口部１７には、内周側に柱取付部２１を設けてあり、下開口部１７を柱３の上端に上から挿入したときに柱３の上端を柱取付部２１に当接して取り付けてあるので、簡易な構成でカバー本体１３を柱３の取り付けできる。
図３に示すように、カバー本体１３の横開口部２３は、その側壁２３ａ、２３ｂ間の巾Ｗ１を上側程狭くしてあると共に側壁２３ａ、２３ｂの対向面に梁当接部２５が設けてあるので、側壁２３ａ、２３ｂを押し広げて梁５を挿入したときに側壁２３ａ、２３ｂが弾性変形により梁当接部２５を梁５に圧接できる。
補助材１５には、内周壁１５ｂに突起２７を形成して、カバー本体１３に装着したときに突起２７を圧接すると共にカバー本体１３の上開口部１９に設けた突起２２が補助材１５に圧接するから、補助材１５をねじ３２で連結具７に固定する前に、補助材１５がカバー本体１３から外れるのを防止できる。
図５に示すように、補助材１５は、連結具７にねじ３２で固定しているので、補助材１５を強固に固定できる。
図６に示すように、樋３７は、補助材１５を挿通するねじ３４で連結具７に固定してあるので、樋３７を強固に取り付けできる。
【００１８】
屋根体１１は、単独で屋根体として使用可能な左右の屋根１１ａ、１１ｂを連結して用いているので、屋根体１１のサイズ毎に、異なる種類の屋根体を容易しないで済むから、屋根体１１の種類を少なくできる。
野縁３３は左右の野縁３３ａ、３３ｂを野縁連結具４９で繋いで、繋ぎ目を野縁キャップ４３で覆っているので、繋ぎ目が見えないから外観良く且つ野縁３３内に雨水が浸入するのを防止できる。
同様に、前枠３５でも左右の前枠３５ａ、３５ｂを前枠連結具５１で繋いで、繋ぎ目を前枠キャップ４５で覆っているので、繋ぎ目が見えないから外観良く且つ前枠３５内に雨水が浸入するのを防止できる。
樋３７でも、左右の樋３７ａ、３７ｂを樋連結具５３で繋いで、繋ぎ目を樋キャップ４７で覆っているので、繋ぎ目が見えないから外観良く且つ樋３７内に雨水が浸入するのを防止できる。
【００１９】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図１６〜図１８に、本発明の第２実施の形態にかかる簡易建物１に用いられるカバー９を示す。この第２実施の形態では、カバー９が第１実施の形態と異なっている。
図１６及び図１７に示すように、第２実施の形態に用いられるカバー９は、第１実施の形態と同様に、カバー本体１３と補助材１５とで構成しており、カバー本体１３は、天壁１３ａと、正面壁１３ｂと、左側面壁（正面から見て左）１３ｃと、背面壁１３ｄとを一体に形成してあり、天面壁１３ａは、連結具７のコーナー部７ｃの上面及びコーナー部７ｃに挿入してある梁５の端部の上面を継ぎ目無く一面で覆っている。カバー本体１３には下開口部１７と横開口部２３が形成してあると共に下開口部１７と横開口部２３との間の下コーナー部６３の下面も開口してあり、カバー本体１３の下面全体が開口してある。
カバー本体１３はその下面の開口から連結具７のコーナー部７ｃ、梁挿入部７ｂ及び梁挿入部７に挿入した梁５の端部に上から被せて取付けてある。
図１７に示すように、カバー本体１３の下コーナー部６３において、正面壁１３ｂと、背面壁１３ｄには各々係合突起６５が形成されている。
図１８に示すように、補助材１５は上面が開口しており、正面壁１５ｃと背面壁１５ｄと底壁１５ｅとを備え、正面壁１５ｃと背面壁１５ｄには各々間隔をあけて補助壁６９ａ、６９ｂが設けてある。正面壁１５ｃと補助壁６９ａとの間には正面側溝７１ａが形成してあり、背面壁１５ｄと補助壁６９ｂとの間には背面側溝７１ｂが形成されている。
図１６及び図１８に示すように、この補助材１５の底壁１５ｅは縦断面が略Ｌ字形状を成して、カバー本体１３の横開口部２３の下面と下開口部１７の補助材１５側の側面を規定している。
また、正面側補助壁６９ａと背面側補助壁６９ｂには、各々カバー本体１３の係合突起６５に係合する被係合部６７が形成されている。
そして、正面側溝７１ａ内にカバー本体１３の正面壁１３ｂの下端が挿入されており、背面側溝７１ｂにカバー本体１３の背面側壁１５ｄが挿入されて、カバー本体１３の係合突起６５と補助材１５の被係合突起６７とが係合して、カバー本体１３に補助材１５が保持されている。
【００２０】
第２実施の形態では、カバー本体１３は、連結具７の柱挿入部７ａを柱３に挿入する前の連結具７に取り付ける。そして、連結具７の柱挿入部７ａを柱３に挿入し且つ梁挿入部７ｂを梁５に挿入した後に、補助材１５をカバー本体１３に取付ける。
補助材１５をカバー本体１３に取付けるときには、カバー本体１３の下コーナー部６３に下から補助材１５を押し込んで、カバー本体１３の係合突起６５に補助材１５の被係合突起６７を係合させて、カバー本体１３に補助材１５に固定する。
この第２実施の形態にかかる簡易建物１によれば、図１６及び図１７に示すように、カバー本体１３の天壁１３ａは、連結具７のコーナー部７ｃの上面及びコーナー部７ｃに挿入してある梁５の端部の上面を継ぎ目なく覆っているから、柱３の内部へ雨水が浸入するのを防止できる。
柱３の上端に連結具７の柱挿入部７ａを挿通し、連結具７のコーナー部７ｃは柱３の上端に配置するものなので、柱３の上端部に連結具７の梁挿入部７ｂを挿通するための切除加工が不要である。
カバー本体１３は、連結具７の柱挿入部７ａを柱３に挿入する前の連結具７に取付け、連結具７を柱３や梁５に取付けた後にカバー本体１３に補助材１５を取付けているので、カバー９を取付けるための高所作業は補助材１５の取付けのみとなるので、高所作業が減り、作業性が改善される。
カバー９は、カバー本体１３の下コーナー部６３に補助材１５を押し込むことにより、カバー本体１３と補助材１５を固定できるので、高所でカバー９を取り付ける時間が短縮でき、施工性が良い。
尚、補助材１５の正面側溝７１ａ及び背面側溝に７１ｂに流れ込んだ雨水等はこれらの溝に沿って下方に排水される。
【００２１】
図１９〜図２１に、本発明の第３実施の形態にかかる簡易建物１に用いられるカバー９を示す。この第３実施の形態では、第２実施の形態と同様にカバー９が第１実施の形態と異なっていると共に、連結具７にはコーナー部７ｃに正面と背面とを連通するカバー取付け孔７３が形成されていることが第１実施の形態と異なっている。図１９（ｂ）に示すように、この第３実施の形態では、連結具７の上面及び背面側にカバー本体１３が配置してあり、連結具７の正面側に補助材１５を配置して、連結具７を挟むようにしてカバー本体１３と補助材１５とを固定してある。
図１９及び図２０に示すように、カバー本体１３は、天壁１３ａと、左側面壁１３ｃと、背面壁１３ｄを一体に形成してあり、下面に下開口部１７が右側面に横開口部２３が形成されている。また、カバー本体１３の正面は開口７５になっており、この正面開口７５に補助材１５を取り付けて、正面開口７５を塞ぐようになっている。
背面壁１３ｄには、正面側に突設する２つの一方の軸部７７が設けてあり、各一方の軸部７７には内側に雌ねじが形成してある。各一方の軸部７７は連結具７のカバー取付孔７３に挿通するものである。
図２１に示すように、補助材１５は、カバー本体１３の正面開口７５に嵌合する形状としてあり、背面側に向けて突出する２つの他方の軸部７９が設けてある。各他方の軸部７９には、雌ねじが形成してある。
図１９に示すように、カバー本体１３の正面開口部７５に補助材１５を嵌合して、各一方の軸部７７と他方の軸部７９とを突き合わせ、ねじ８１で一方の軸部７７と他方の軸部７９とを連結することにより、カバー本体１３に補助材１５を固定している。
【００２２】
第３実施の形態では、カバー本体１３は、連結具７の柱挿入部７ａを柱３に挿入する前の連結具７に、背面側から連結具７にカバー本体１３を被せるようにして取り付ける。カバー本体１３を連結具に取付けるときには、連結具７の背面側から連結具７にカバー本体１３を被せるが、このとき連結具７のコーナー部７ｃに形成してあるカバー取付け孔７３にカバー本体１３に設けてある２つの一方の軸部７７を各々挿通する。
そして、連結具７の柱挿入部７ａを柱３に挿入し且つ梁挿入部７ｂを梁５に挿入した後に、補助材１５をカバー本体１３の正面開口７５に取付ける。
補助材１５の取付けは、連結具７の正面側からカバー本体１３の正面開口７５に補助材１５を配置するが、このとき連結具７の各カバー取付け孔７３に他方の軸部７９を挿通し、各他方の軸部７９を対応する一方の軸部７７の先端に突合せ、他方の軸部７９にねじ８１を螺合して、カバー本体１３と補助材１５で連結具７を挟むようにしてこれらを固定する。
この第３実施の形態にかかる簡易建物１によれば、図１９及び図２０に示すように、カバー本体１３の天壁１３ａは、連結具７のコーナー部７ｃの上面及びコーナー部７ｃに挿入してある梁５の端部の上面を継ぎ目なく覆っているから、柱３の内部へ雨水が浸入するのを防止できる。
カバー本体１３は、柱３の上端に取付けた連結具７を上から覆う構成なので、柱３の上端部に連結具７の梁挿入部７ｂを挿通するための切除加工が不要である。
柱３の上端に連結具７の柱挿入部７ａを挿通し、連結具７のコーナー部７ｃは柱３の上端に配置するものなので、柱３の上端部に連結具７の梁挿入部７ｂを挿通するための切除加工が不要である。
カバー本体１３は、連結具７の柱挿入部７ａを柱３に挿入する前の連結具７に取付け、連結具７を柱３や梁５に取付けた後にカバー本体１３に補助材１５を取付けているので、カバー９を取付けるための高所作業は補助材１５の取付けのみとなるので、高所作業が減り、作業性が改善される。
カバー９は、カバー本体１３にある一方の軸部７７と補助材１５に設けてある他方の軸部７９とを突合せて、補助材１５側からのみのねじ止め作業でカバー本体１３と補助材１５を固定できるので、施工性が良い。
【００２３】
本発明は、上述した実施の形態に限らず、本発明の要旨を逸脱しない範囲で種々変形可能である。
簡易建物１は、カーポートに限らず、サイクルポート、テラス、サンルーム、通路シェルター等であっても良い。
第１実施の形態において、補助体１５は、連結具７に固定することに限らず、カバー本体１３にねじ等により固定しても良い。
請求項２に記載の発明にあっては、カバー本体１３又は補助材１５のいずれかが、連結具７のコーナー部７ｃの上面及び梁５の端部の上面を継ぎ目無く一面で覆うものであれば良い。
【符号の説明】
【００２４】
１    簡易建物
３    柱
５    梁
７    連結具
７ａ  柱挿入部
７ｂ  梁挿入部
７ｃ  コーナー部
９    カバー
１３  カバー本体
１５  補助材
１７  下開口部
１９  上開口部
２１  柱取付部
２３  横開口部
【図１】
2014194146.tif 000003
【図２】
2014194146.tif 000004
【図３】
2014194146.tif 000005
【図４】
2014194146.tif 000006
【図５】
2014194146.tif 000007
【図６】
2014194146.tif 000008
【図７】
2014194146.tif 000009
【図８】
2014194146.tif 000010
【図９】
2014194146.tif 000011
【図１０】
2014194146.tif 000012
【図１１】
2014194146.tif 000013
【図１２】
2014194146.tif 000014
【図１３】
2014194146.tif 000015
【図１４】
2014194146.tif 000016
【図１５】
2014194146.tif 000017
【図１６】
2014194146.tif 000018
【図１７】
2014194146.tif 000019
【図１８】
2014194146.tif 000020
【図１９】
2014194146.tif 000021
【図２０】
2014194146.tif 000022
【図２１】
2014194146.tif 000023